(57)【要約】【課題】座席のシートバックの反りを調整することにより、着座者の背部を支持するシートバック支持装置に関し、着座感がよいシートバック支持装置を提供することを課題とする。【解決手段】シートバックフレーム１の上部に、上下方向に回転可能に設けられ、着座者の骨盤まで延出した支持プレート３と、支持プレート３の着座者と対向する面側と反対の面側に設けられ、着座者の背面の一部である腰椎を押圧する方向に変形可能な反り部材７と、反り部材７を着座者の腰椎を押圧する方向に変形させる駆動手段とで構成する。【選択図】図１
2012218481.tif 000002
【特許請求の範囲】
【請求項１】
シートバックフレーム部材の上部に、上下方向に回転可能に設けられ、前記着座者の骨盤まで延出した支持プレートと、
該支持プレートの前記着座者と対向する面側と反対の面側に配置され、前記着座者の背面の一部を押圧する方向に変形可能な反り部材と、
前記反り部材を前記着座者の背面の一部を押圧する方向に変形させる駆動手段と、
を有することを特徴とするシートバック支持装置。
【請求項２】
前記駆動手段は、
前記シートバックフレーム側の部材、前記反り部材のうちの一方に設けられたナット部材と、
前記シートバックフレーム側の部材、前記反り部材のうちの他方に設けられ、前記ナット部材を直線移動可能に案内するガイドと、
前記シートバックフレーム側の部材、前記反り部材のうちの他方に設けられ、前記ナット部材が螺合するねじ棒と、
該ねじ棒を回転駆動する駆動部と、
からなることを特徴とする請求項１記載のシートバック支持装置。
【請求項３】
前記反り部材は、上部が前記シートバックフレーム側の部材に上下方向に回転可能に設けられ、
前記ナット部材は、前記反り部材の下部に上下方向に回転可能に設けられたことを特徴とする請求項２記載のシートバック支持装置。
【発明の詳細な説明】
【技術分野】
【０００１】
本発明は、座席のシートバックの反りを調整することにより、着座者の背部を支持するシートバック支持装置に関する。
【背景技術】
【０００２】
シートバック支持装置の一例としてランバーサポートと呼ばれる装置がある。ランバーサポート装置は、着座者の背面の一部である腰椎を押圧することにより、着座者の正しい姿勢をサポートするものである（例えば、特許文献１参照）。
【先行技術文献】
【特許文献】
【０００３】
【特許文献１】特許３５５６２１７号
【発明の開示】
【発明が解決しようとする課題】
【０００４】
しかし、従来のランバーサポート装置は、着座者の腰椎を局所的に押圧するので、シートバック表面と着座者の腰椎より上の部分の背中との間には、隙間が発生する。よって、着座感が悪いという問題点がある。
【０００５】
本発明は、着座感がよいシートバック支持装置を提供することにある。
【課題を解決するための手段】
【０００６】
請求項１に係る発明は、シートバックフレーム部材の上部に、上下方向に回転可能に設けられ、前記着座者の骨盤まで延出した支持プレートと、該支持プレートの前記着座者と対向する面側と反対の面側に配置され、前記着座者の背面の一部を押圧する方向に変形可能な反り部材と、前記反り部材を前記着座者の背面の一部を押圧する方向に変形させる駆動手段と、を有することを特徴とするシートバック支持装置である。
【０００７】
請求項２に係る発明は、前記駆動手段は、前記シートバックフレーム側の部材、前記反り部材のうちの一方に設けられたナット部材と、前記シートバックフレーム側の部材、前記反り部材のうちの他方に設けられ、前記ナット部材を直線移動可能に案内するガイドと、前記シートバックフレーム側の部材、前記反り部材のうちの他方に設けられ、前記ナット部材が螺合するねじ棒と、該ねじ棒を回転駆動する駆動部と、からなることを特徴とする請求項１記載のシートバック支持装置である。
【０００８】
請求項３に係る発明は、前記反り部材は、上部が前記シートバックフレーム側の部材に上下方向に回転可能に設けられ、前記ナット部材は、前記反り部材の下部に上下方向に回転可能に設けられたことを特徴とする請求項２記載のシートバック支持装置である。
【０００９】
尚、本明細書で、「シートバックフレーム部材」とは、シートバックフレーム自体及びシートバックフレームと同様に着座者の背面を支持する部材も含む。
【発明の効果】
【００１０】
請求項１−請求項３に係る発明によれば、シートバックフレーム部材の上部に、上下方向に回転可能に設けられ、前記着座者の骨盤まで延出した支持プレートと、該支持プレートの前記着座者と対向する面側と反対の面側に配置され、前記着座者の背面の一部を押圧する方向に変形可能な反り部材と、前記反り部材を前記着座者の背面の一部を押圧する方向に変形させる駆動手段と、を有することにより、駆動手段により駆動される反り部材が着座者の背面の一部を押圧する方向に変形すると、フレームの上部から着座者の骨盤まで延出した支持プレートが、フレームの上部を中心として、上方向、即ち、着座者の背面方向に回転するので、シートバック表面と反り部材で押圧された部分より上の部分の背中との間に隙間が発生しない。よって、着座感がよい。
【００１１】
請求項２、３に係る発明によれば、前記駆動手段は、前記シートバックフレーム側の部材、前記反り部材のうちの一方に設けられたナット部材と、前記シートバックフレーム側の部材、前記反り部材のうちの他方に設けられ、前記ナット部材を直線移動可能に案内するガイドと、前記シートバックフレーム側の部材、前記反り部材のうちの他方に設けられ、前記ナット部材が螺合するねじ棒と、該ねじ棒を回転駆動する駆動部と、からなることにより、駆動手段の取付スペースが狭くてよく、取り付け箇所の自由度も高い。
【００１２】
請求項３に係る発明によれば、前記反り部材は、上部が前記シートバックフレーム側の部材に上下方向に回転可能に設けられたことにより、反り部材が変形した際に、反り部材の上部に大きな曲げ応力が発生しない。
【００１３】
また、前記ナット部材は、前記反り部材の下部に上下方向に回転可能に設けられた事により、反り部材が変形した際に、反り部材の下部に大きな曲げ応力が発生しない。
【図面の簡単な説明】
【００１４】
【図１】本実施形態のシートバック支持装置をシートの裏側から見た斜視図である。
【図２】図１から支持プレート，送風装置を取り除いた斜視図である。
【図３】図２のIII方向矢視図である。
【図４】図２の状態から駆動手段が作動した状態を示す斜視図である。
【発明を実施するための形態】
【００１５】
次に、図面を用いて本発明の実施の形態を説明する。図１は本実施形態のシートバック支持装置をシートの裏側から見た斜視図、図２は図１から支持プレート，送風装置を取り除いた斜視図、図３は図２のIII方向矢視図、図４は図２の状態から駆動手段が作動した状態を示す斜視図である。
【００１６】
先ず、図１−図３を用いて、本実施形態の構成を説明する。これらの図において、シートバックフレーム１には、着座者の肩部と対向する部分に、水平方向に延出する上部水平部１ａが形成されている。
【００１７】
着座者の肩部から骨盤まで延出する支持プレート３の上部には、シートバックフレーム１の上部水平部１ａに係合し、支持プレート３を上下方向に回転可能に支持するヒンジ部３ａが形成されている。
【００１８】
シートバックフレーム１の着座者の肩部と腰椎との間の部位と対向する部分には、水平方向に延出する反り部材支持バー５が配置され、シートバックフレーム１に溶接等の手法で取り付けられている。支持プレート３の着座者と対向する面側と反対の面側には、着座者の腰椎部分と対向し、着座者の背面の一部である腰椎を押圧する方向に変形可能な反り部材７が配置される。この反り部材７の上部には、反り部材支持バー５に係合し、反り部材７を上下方向に回転可能に支持するヒンジ９が設けられている。
【００１９】
シートバックフレーム１の下部には、下部水平部１ｂが形成されている。下部水平部１ｂの上方には、水平方向に延出するガイド保持バー１１が配置され、シートバックフレーム１に溶接等の手法で取り付けられている。
【００２０】
ガイド保持バー１１とシートバックフレーム１の下部水平部１ｂとの間には、上下方向に延出するガイドベース１３が配置される。このガイドベース１３の上部は、ガイド保持バー１１にかしめ等の手法により固定されている。ガイドベース１３の下部は、シートバックフレーム１の下部水平部１ｂに溶接等の手法により固定されている。
【００２１】
ガイドベース１３の両側部には、ナット部材１５が回転が禁止された状態で、上下方向に移動可能に係合している。
【００２２】
ガイドベース１３には、上下方向に延びるねじ棒１７が配置されている。このねじ棒１７の上部、下部には、大径部１７ａ、大径部１７ｂが形成され、大径部１７ａと大径部１７ｂとの間には、周面におねじが刻設されたねじ棒本体部１７ｃが形成されている。このねじ棒本体部１７ｃに、ナット部材１５が螺合している。更に、このねじ棒１７はシートバックフレーム１に設けられたモータ（駆動部）１９により回転駆動されるようになっている。
【００２３】
ナット部材１５は、図３に示すように、回転軸が水平方向のヒンジ２１を介して、反り部材７の下部に取り付けられている。ナット部材１５とヒンジ２１との取付方法、ヒンジ２１と反り部材１７との取付方法は、例えば、ボルトでの締結がある。
【００２４】
更に、本実施の形態では、シートバックフレーム１の下部に設けられたコンプレッサー３１と、コンプレッサー３１で発生した風をシートバックの裏面側から表面側に通過させるダクト３３とからなるシート送風装置３５が設けられている。
【００２５】
次に、上記構成の作動を図２、図４を用いて説明する。
【００２６】
図２に示す状態は、ナット部材１５がガイドベース１３の下部に位置し、反り部材７は着座者の腰椎を押圧する方向に変形していない。
【００２７】
ここで、モータ１９を一方の方向へ回転駆動すると、ねじ棒１７が一方の方向に回転し、回転が禁止されているナット部材１５はガイドベース１３に沿って上昇する。ナット部材１５が上昇することにより、図４に示すように、反り部材７は弾性変形して、着座者の腰椎を押圧する。
【００２８】
よって、ねじ棒１７と、ねじ棒１７を回転駆動するモータ１９と、反り部材７の下部に取り付けられ、ねじ棒１７に螺合したナット部材１５と、ナット部材１５を上下方向に案内するガイドベース１３とで、反り部材７を着座者の腰椎を押圧する方向に変形させる駆動手段が構成されている。
【００２９】
図４に示す反り部材７が変形して着座者の腰椎を押圧している状態から、モータ１９を他方の方向へ回転駆動すると、ねじ棒１７が他方の方向に回転し、回転が禁止されているナット部材１５はガイドベース１３に沿って下降する。ナット部材１５が下降することにより、図２に示すように、反り部材７は弾性復帰し、着座者の腰椎を押圧する状態が解除される。
【００３０】
尚、ナット部材１５は、ねじ棒１７の大径部１７ａと、大径部１７ｂとに当接するまで、移動可能である。
【００３１】
上記構成によれば、以下のような効果が得られる。
【００３２】
(1) 駆動手段により駆動される反り部材７が着座者の腰椎を押圧する方向に変形すると、着座者の肩部から骨盤まで延出した支持プレート３が、着座者の肩部側を中心として、上方向、即ち、シートバック表面全体が着座者の背面方向に回転するので、シートバック表面と着座者の腰椎より上の部分の背中との間に隙間が発生しない。よって、着座感がよい。
【００３３】
(2) 反り部材７は、上部がシートバックフレーム１に上下方向に回転可能に設けられていることにより、反り部材７が変形した際に、反り部材７の上部に大きな曲げ応力が発生しない。
【００３４】
(3) 駆動手段は、ねじ棒１７と、ねじ棒１７を回転駆動するモータ１９と、反り部材７の下部に取り付けられ、ねじ棒１７に螺合したナット部材１５と、ナット部材１５を上下方向に案内するガイドベース１３とからなることにより、駆動手段の取付スペースが狭くてよく、取り付け箇所の自由度も高くなる。よって、シート送風装置３５の設置が容易となる。
【００３５】
(4) ねじ棒１７はシートバックフレーム１に設けられ、ナット部材１５は反り部材７の下部に、上下方向に回転可能に設けられたことにより、反り部材７が変形した際に、反り部材７の下部に大きな曲げ応力が発生しない。
【００３６】
本発明は、上記実施の形態に限定するものではない。上記実施の形態では、ねじ棒１７、モータ１９、ガイドベース１３をシートバックフレーム１側に設け、ナット部材１５を反り部材７側に設けたが、逆に、ねじ棒１７、モータ１９、ガイドベース１３を反り部材１７側に、ナット部材１５をシートバックフレーム１側に設けてもよい。
【００３７】
更に、上記実施形態の反り部材は、着座者の背面の一部として腰椎を押圧したが、他の部分、例えば、胸椎や骨盤を押圧してもよい。
【符号の説明】
【００３８】
１  シートバックフレーム
３  支持プレート
７  反り部材
【図１】
2012218481.tif 000003
【図２】
2012218481.tif 000004
【図３】
2012218481.tif 000005
【図４】
2012218481.tif 000006